(57)【要約】  プロバイダ・デバイスからネットワーク・アクセスするためにクライアント・デバイスを登録するためのシステム及び方法である。サーバは、ユーザ・アカウントに関連するプロバイダ・デバイスからユーザ・アカウントに関連するクライアント・デバイスにネットワーク・アクセスを提供するためにユーザ・アカウントに関する許可要求を受信する。サーバは、クライアント・デバイスのそれぞれのための固有ＩＤを受信し、該固有ＩＤをプロバイダ・デバイスのそれぞれに提供する。サーバは、少なくとも１つのクライアント・デバイスからのネットワーク・アクセスに関する要求についてモニターするための指示を少なくとも１つのプロバイダ・デバイスに提供し、クライアント・デバイスからの要求はクライアント・デバイスの固有ＩＤを含む。プロバイダ・デバイスは、その要求に応答してクライアント・デバイスにネットワーク・アクセス情報を提供するように構成される。【選択図】図１
2016502784.tif 000002
【特許請求の範囲】
【請求項１】
プロバイダ・デバイスからネットワーク・アクセスするためにクライアント・デバイスを登録するための、コンピュータで実行される方法であって、
前記方法は、
ユーザ・アカウントに関連する１つ又は複数のプロバイダ・デバイスから前記ユーザ・アカウントに関連する１つ又は複数のクライアント・デバイスにネットワーク・アクセスを提供するために、前記ユーザ・アカウントに関する許可要求をサーバ側で受信することと、
前記１つ又は複数のクライアント・デバイスのそれぞれのための固有ＩＤを受信することと、
前記サーバから、前記１つ又は複数のクライアント・デバイスのそれぞれのための前記固有ＩＤを前記１つ又は複数のプロバイダ・デバイスのそれぞれに提供することと、
前記１つ又は複数のクライアント・デバイスのうちの少なくとも１つのクライアント・デバイスからのネットワーク・アクセスに関する要求についてモニターするための指示を前記１つ又は複数のプロバイダ・デバイスのうちの少なくとも１つのプロバイダ・デバイスに提供することと、
を含み、
前記少なくとも１つのクライアント・デバイスからの前記要求は前記少なくとも１つのクライアント・デバイスの前記固有ＩＤを含み、
前記少なくとも１つのプロバイダ・デバイスは前記要求に応答して前記少なくとも１つのクライアント・デバイスにネットワーク・アクセス情報を提供するように構成される、
方法。
【請求項２】
前記１つ又は複数のクライアント・デバイスのそれぞれのための前記固有ＩＤはＭＡＣアドレスを含む、請求項１に記載の方法。
【請求項３】
前記ユーザ・アカウントに関する認証情報を受信することを更に含む、請求項１に記載の方法。
【請求項４】
前記ユーザ・アカウントに関連するユーザ・インターフェースの表示を可能にすることを更に含む、請求項３に記載の方法。
【請求項５】
前記ユーザ・インターフェースは、前記ユーザ・アカウントに関連するすべてのプロバイダ・デバイスの中から前記１つ又は複数のプロバイダ・デバイスをユーザ選択することを可能にすると共に、前記ユーザ・アカウントに関連するすべてのクライアント・デバイスの中から前記１つ又は複数のクライアント・デバイスを選択することを可能にする、請求項４に記載の方法。
【請求項６】
前記ユーザ・インターフェースは、前記１つ又は複数のクライアント・デバイスのそれぞれのための前記固有ＩＤの受信を可能にする、請求項４に記載の方法。
【請求項７】
プロバイダ・デバイスからネットワーク・アクセスするためにクライアント・デバイスを登録するためのシステムであって、
前記システムは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行させ、
前記動作は、
ユーザ・アカウントに関連する１つ又は複数のプロバイダ・デバイスから前記ユーザ・アカウントに関連する１つ又は複数のクライアント・デバイスにネットワーク・アクセスを提供するために前記ユーザ・アカウントに関する許可要求を受信することと、
前記１つ又は複数のクライアント・デバイスのそれぞれのための固有ＭＡＣアドレスを受信することと、
前記１つ又は複数のクライアント・デバイスのそれぞれのための前記固有ＭＡＣアドレスを前記１つ又は複数のプロバイダ・デバイスのそれぞれに提供することと、
前記１つ又は複数のクライアント・デバイスのうちの少なくとも１つのクライアント・デバイスからのネットワーク・アクセスに関する要求についてモニターするための指示を前記１つ又は複数のプロバイダ・デバイスのうちの少なくとも１つのプロバイダ・デバイスに提供することと、
を含み、
前記少なくとも１つのクライアント・デバイスからの前記要求は前記少なくとも１つのクライアント・デバイスの前記固有ＭＡＣアドレスを含み、
前記少なくとも１つのプロバイダ・デバイスは前記要求に応答して前記少なくとも１つのクライアント・デバイスにネットワーク・アクセス情報を提供するように構成される、
システム。
【請求項８】
クライアント・デバイスにネットワーク・アクセスを提供するための、コンピュータで実行される方法であって、
前記方法は、
ユーザ・アカウントに関連するクライアント・デバイスのための固有ＩＤをサーバから受信することと、
前記クライアント・デバイスからの要求であって前記クライアント・デバイスのためのネットワーク・アクセスに関するものである前記要求についてモニターするための標識を前記サーバから受信することと、
前記標識を受信したことに応答して、前記クライアント・デバイスからの前記要求についてモニターすることと、
前記クライアント・デバイスからの前記要求であって前記クライアント・デバイスの前記固有ＩＤを含む前記要求を受信することと、
前記クライアント・デバイスの前記固有ＩＤが前記ユーザ・アカウントに関連するものであるかどうかを検証することと、
前記クライアント・デバイスの前記固有ＩＤが前記ユーザ・アカウントに関連するものであると検証された場合に、ネットワーク・アクセスするためにプロバイダ・デバイスに接続するためのアクセス情報を前記クライアント・デバイスに提供することと、
を含む、
方法。
【請求項９】
前記固有ＩＤはＭＡＣアドレスを含む、請求項８に記載の方法。
【請求項１０】
前記固有ＩＤの受信、前記標識の受信、前記モニター、前記要求の受信、前記検証、及び前記提供が、複数のクライアント・デバイスについて実行され、該クライアント・デバイスのそれぞれが固有ＩＤを有する、請求項８に記載の方法。
【請求項１１】
前記クライアント・デバイスとのピアツーピア接続を確立することを更に含み、
前記クライアント・デバイスへの前記アクセス情報の提供が、前記確立されたピアツーピア接続を使用して実行される、請求項８に記載の方法。
【請求項１２】
前記要求のモニター及び前記要求の受信が所定のネットワーク周波数又は設定に基づいて行われる、請求項８に記載の方法。
【請求項１３】
クライアント・デバイスにネットワーク・アクセスを提供するためのプロバイダ・デバイスであって、
前記プロバイダ・デバイスは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行させ、
前記動作は、
ユーザ・アカウントに関連するクライアント・デバイスのための固有ＩＤをサーバから受信することと、
前記クライアント・デバイスからの要求であって前記クライアント・デバイスのためのネットワーク・アクセスに関するものである前記要求についてモニターするための標識を前記サーバから受信することと、
前記標識を受信したことに応答して、前記クライアント・デバイスからの前記要求についてモニターすることと、
前記クライアント・デバイスからの前記要求であって前記クライアント・デバイスの前記固有ＩＤを含む前記要求を受信することと、
前記クライアント・デバイスの前記固有ＩＤが前記ユーザ・アカウントに関連するものであるかどうかを検証することと、
前記クライアント・デバイスの前記固有ＩＤが前記ユーザ・アカウントに関連するものであると検証された場合に、
前記クライアント・デバイスとのピアツーピア接続を確立することと、
前記確立されたピアツーピア接続を介して、ネットワーク・アクセスするために前記プロバイダ・デバイスに接続するためのアクセス情報を前記クライアント・デバイスに提供することと、
を含む、
プロバイダ・デバイス。
【請求項１４】
ネットワーク・アクセスのためにクライアント・デバイスをプロバイダ・デバイスに接続するための、コンピュータで実行される方法であって、
前記方法は、
ユーザ・アカウントに関連するクライアント・デバイス上で、前記ユーザ・アカウントに関連するプロバイダ・デバイスから、ネットワーク・アクセスに関する要求を受信することと、
ネットワーク・アクセスに関する要求であって前記クライアント・デバイスの固有ＩＤを含む要求を前記プロバイダ・デバイスに送信することと、
前記ユーザ・アカウントに関連する前記プロバイダ・デバイスから、ネットワーク・アクセスするために前記プロバイダ・デバイスに接続するためのアクセス情報を受信することと、
前記受信したアクセス情報を使用して、ネットワーク・アクセスするために前記プロバイダ・デバイスに接続することと、
を含む、
方法。
【請求項１５】
前記固有ＩＤはＭＡＣアドレスを含む、請求項１４に記載の方法。
【請求項１６】
前記プロバイダ・デバイスは、前記ユーザ・アカウントに関連する複数のプロバイダ・デバイスのうちの１つである、請求項１４に記載の方法。
【請求項１７】
前記プロバイダ・デバイスは、前記クライアント・デバイスに対する前記プロバイダ・デバイスの近接性に基づいて前記複数のプロバイダ・デバイスの中から選択される、請求項１６に記載の方法。
【請求項１８】
ネットワーク・アクセスに関する前記要求がユーザから受信され、前記ユーザからの受信入力に応答して前記要求の前記送信が実行される、請求項１４に記載の方法。
【請求項１９】
ネットワーク・アクセスに関する前記要求が自動要求であり、前記自動要求に応答して前記要求の前記送信が実行される、請求項１４に記載の方法。
【請求項２０】
前記プロバイダ・デバイスとのピアツーピア接続を確立することを更に含み、
前記アクセス情報の受信及び前記プロバイダ・デバイスへの接続は、前記確立されたピアツーピア接続を使用して実行される、請求項１４に記載の方法。
【請求項２１】
前記要求の前記送信が所定のネットワーク周波数又は設定に基づいて行われる、請求項１４に記載の方法。
【請求項２２】
ネットワーク・アクセスのためにプロバイダ・デバイスに接続するためのクライアント・デバイスであって、
前記クライアント・デバイスは、
１つ又は複数のプロセッサと、
命令を含む機械可読媒体と、
を含み、
前記命令は前記機械可読媒体に保管され、
前記命令は、前記プロセッサによって実行されたときに、前記プロセッサに動作を実行させ、
前記動作は、
ユーザ・アカウントに関連するプロバイダ・デバイスから、ネットワーク・アクセスに関する要求を受信することと、
ネットワーク・アクセスに関する要求であって前記クライアント・デバイスの固有ＩＤを含む要求を前記プロバイダ・デバイスに送信することと、
前記プロバイダ・デバイスとのピアツーピア接続を確立することと、
前記ユーザ・アカウントに関連する前記プロバイダ・デバイスから、前記確立されたピアツーピア接続を介して、ネットワーク・アクセスするために前記プロバイダ・デバイスに接続するためのアクセス情報を受信することと、
前記確立されたピアツーピア接続を介して、前記受信したアクセス情報を使用して、ネットワーク・アクセスするために前記プロバイダ・デバイスに接続することと、
を含む、
クライアント・デバイス。
【発明の詳細な説明】
【技術分野】
【０００１】
本発明は、一般に、デバイスに関するネットワーク・アクセスに関し、特に、ユーザ・アカウントに関連するデバイスにネットワーク・アクセスを提供することに関する。
【背景技術】
【０００２】
テザリング（tethering）とは、あるデバイスを他のデバイスに接続することを指す。例えば、テザリングは、プロバイダ・デバイス（provider device）のネットワーク接続をクライアント・デバイス（client device）と共有することを可能にする。インターネットなどのネットワークに接続された特定のプロバイダ・デバイス（又は「ホットスポット（登録商標）」）は、ホットスポットへの接続により他の事前設定済み（事前構成済み）クライアント・デバイスがネットワーク接続を共有することを許可することができる。例えば、インターネット・アクセスを備えたスマートフォンは、タブレット・コンピュータなどのクライアント・デバイスがインターネット・アクセスするためにＷｉ−Ｆｉ（登録商標）によりスマートフォンに接続することを許可するＷｉ−Ｆｉ信号をブロードキャストすることができる。
【発明の概要】
【発明が解決しようとする課題】
【０００３】
しかし、タブレット・コンピュータは、スマートフォンに必要なＷｉ−Ｆｉネットワーク名及びパスワードなど、スマートフォンに接続するための適切な許可情報（authorization information）を必要とする。ユーザがクライアント・デバイスをプロバイダ・デバイスに接続したいと希望するそれぞれの事例では、ユーザは、適切な許可情報でクライアント・デバイスとプロバイダ・デバイスとを設定（構成）しなければならない。プロバイダ・デバイスがスマートフォンなどの限られた入力インターフェースを有する場合、又は、ユーザがプロバイダ・デバイスに接続するために複数のクライアント・デバイスを有する場合、このプロセスは不便である可能性がある。
【課題を解決するための手段】
【０００４】
開示されている主題は、プロバイダ・デバイスからネットワーク・アクセスするためにクライアント・デバイスを登録するための、コンピュータで実行される方法に関する。この方法は、サーバ側で、ユーザ・アカウントに関連する１つ又は複数のプロバイダ・デバイスからユーザ・アカウントに関連する１つ又は複数のクライアント・デバイスにネットワーク・アクセスを提供するためにユーザ・アカウントに関する許可要求（authorization request）を受信することと、１つ又は複数のクライアント・デバイスのそれぞれのための固有ＩＤ（固有識別子：unique identifier）を受信することとを含む。この方法は、サーバから、１つ又は複数のクライアント・デバイスのそれぞれのための固有ＩＤを１つ又は複数のプロバイダ・デバイスのそれぞれに提供することと、１つ又は複数のクライアント・デバイスのうちの少なくとも１つのクライアント・デバイスからのネットワーク・アクセスに関する要求についてモニターするための指示（indication）を１つ又は複数のプロバイダ・デバイスのうちの少なくとも１つのプロバイダ・デバイスに提供することと、を更に含み、ここで、少なくとも１つのクライアント・デバイスからの要求は少なくとも１つのクライアント・デバイスの固有ＩＤを含む。少なくとも１つのプロバイダ・デバイスは、その要求に応答して少なくとも１つのクライアント・デバイスにネットワーク・アクセス情報を提供するように構成される。
【０００５】
開示されている主題は更に、プロバイダ・デバイスからネットワーク・アクセスするためにクライアント・デバイスを登録するためのシステムに関し、このシステムは、１つ又は複数のプロセッサと、命令を含む機械可読媒体と、を含む。命令は機械可読媒体に保管され、プロセッサによって実行されたときに、プロセッサに動作を実行させる。この動作は、ユーザ・アカウントに関連する１つ又は複数のプロバイダ・デバイスからユーザ・アカウントに関連する１つ又は複数のクライアント・デバイスにネットワーク・アクセスを提供するためにユーザ・アカウントに関する許可要求を受信することを含む。この動作は、１つ又は複数のクライアント・デバイスのそれぞれのための固有ＭＡＣアドレスを受信することと、１つ又は複数のクライアント・デバイスのそれぞれのための固有ＭＡＣアドレスを１つ又は複数のプロバイダ・デバイスのそれぞれに提供することと、１つ又は複数のクライアント・デバイスのうちの少なくとも１つのクライアント・デバイスからのネットワーク・アクセスに関する要求についてモニターするための指示を１つ又は複数のプロバイダ・デバイスのうちの少なくとも１つのプロバイダ・デバイスに提供することと、を更に含み、少なくとも１つのクライアント・デバイスからの要求は少なくとも１つのクライアント・デバイスの固有ＭＡＣアドレスを含む。少なくとも１つのプロバイダ・デバイスは、その要求に応答して少なくとも１つのクライアント・デバイスにネットワーク・アクセス情報を提供するように構成される。
【０００６】
また、開示されている主題は、クライアント・デバイスにネットワーク・アクセスを提供するための、コンピュータで実行される方法にも関する。この方法は、ユーザ・アカウントに関連するクライアント・デバイスのための固有ＩＤをサーバから受信することと、クライアント・デバイスからの要求であってクライアント・デバイスのためのネットワーク・アクセスに関するものである要求についてモニターするための標識（indicator）をサーバから受信することと、を含む。この方法は、標識を受信したことに応答して、クライアント・デバイスからの要求についてモニターすることと、クライアント・デバイスからの要求であってクライアント・デバイスの固有ＩＤを含む要求を受信することと、クライアント・デバイスの固有ＩＤがユーザ・アカウントに関連するものであるかどうかを検証することと、を更に含む。加えて、この方法は、クライアント・デバイスの固有ＩＤがユーザ・アカウントに関連するものであると検証された場合に、ネットワーク・アクセスするためにプロバイダ・デバイスに接続するためのアクセス情報をクライアント・デバイスに提供することを含む。
【０００７】
開示されている主題は更に、クライアント・デバイスにネットワーク・アクセスを提供するためのプロバイダ・デバイスに関し、このデバイスは、１つ又は複数のプロセッサと、命令を含む機械可読媒体と、を含む。命令は機械可読媒体に保管され、プロセッサによって実行されたときに、プロセッサに動作を実行させる。この動作は、ユーザ・アカウントに関連するクライアント・デバイスのための固有ＩＤをサーバから受信することを含む。この動作は、クライアント・デバイスからの要求であってクライアント・デバイスのためのネットワーク・アクセスに関するものである要求についてモニターするための標識をサーバから受信することと、標識を受信したことに応答して、クライアント・デバイスからの要求についてモニターすることと、クライアント・デバイスからの要求であってクライアント・デバイスの固有ＩＤを含む要求を受信することと、を更に含む。加えて、この動作は、クライアント・デバイスの固有ＩＤがユーザ・アカウントに関連するものであるかどうかを検証することと、クライアント・デバイスの固有ＩＤがユーザ・アカウントに関連するものであると検証された場合に、クライアント・デバイスとのピアツーピア接続を確立することと、確立されたピアツーピア接続を介して、ネットワーク・アクセスするためにプロバイダ・デバイスに接続するためのアクセス情報をクライアント・デバイスに提供することと、を含む。
【０００８】
また、開示されている主題は、ネットワーク・アクセスのためにクライアント・デバイスをプロバイダ・デバイスに接続するための、コンピュータで実行される方法にも関する。この方法は、ユーザ・アカウントに関連するクライアント・デバイス上で、ユーザ・アカウントに関連するプロバイダ・デバイスから、ネットワーク・アクセスに関する要求を受信することと、ネットワーク・アクセスに関する要求であってクライアント・デバイスの固有ＩＤを含む要求をプロバイダ・デバイスに送信することと、ユーザ・アカウントに関連するプロバイダ・デバイスから、ネットワーク・アクセスするためにプロバイダ・デバイスに接続するためのアクセス情報を受信することと、を含む。この方法は、受信したアクセス情報を使用して、ネットワーク・アクセスするためにプロバイダ・デバイスに接続することを更に含む。
【０００９】
開示されている主題は更に、ネットワーク・アクセスのためにプロバイダ・デバイスに接続するためのクライアント・デバイスに関し、このデバイスは、１つ又は複数のプロセッサと、命令を含む機械可読媒体と、を含む。命令は機械可読媒体に保管され、プロセッサによって実行されたときに、プロセッサに動作を実行させる。この動作は、ユーザ・アカウントに関連するプロバイダ・デバイスから、ネットワーク・アクセスに関する要求を受信することを含む。この動作は、ネットワーク・アクセスに関する要求であってクライアント・デバイスの固有ＩＤを含む要求をプロバイダ・デバイスに送信することと、プロバイダ・デバイスとのピアツーピア接続を確立することと、ユーザ・アカウントに関連するプロバイダ・デバイスから、確立されたピアツーピア接続を介して、ネットワーク・アクセスするためにプロバイダ・デバイスに接続するためのアクセス情報を受信することと、確立されたピアツーピア接続を介して、受信したアクセス情報を使用して、ネットワーク・アクセスするためにプロバイダ・デバイスに接続することと、を更に含む。
【００１０】
主題技術の様々な構成が例示として示され記載されている以下の詳細な説明から主題技術のその他の構成が当業者にとって容易に明らかになることは言うまでもない。認識されるように、主題技術はその他の種々の構成が可能であり、そのいくつかの詳細は、いずれも主題技術の範囲を逸脱せずに、様々なその他の点で変更可能である。従って、図面及び詳細な説明は、限定的なものとしてではなく、本質的に例示的なものと見なすべきである。
【００１１】
主題技術の特定の特徴は特許請求の範囲に明記されている。しかし、説明のために、主題技術のいくつかの実施形態が以下の図に明記されている。
【図面の簡単な説明】
【００１２】
【図１】ユーザ・アカウントに関連するクライアント・デバイスにネットワーク・アクセスを提供することができるネットワーク環境の一例を示している。
【図２】ユーザ・アカウントに関連するプロバイダ・デバイス及びクライアント・デバイスを識別するユーザ・インターフェースの一例を示している。
【図３】プロセスの一例を示しており、このプロセスの一例により、ユーザ・アカウントに関連するクライアント・デバイスにネットワーク・アクセスが提供される。
【図４】サーバによって実行されるプロセスの一例を示しており、このプロセスの一例により、プロバイダ・デバイスからネットワーク・アクセスするためにクライアント・デバイスが登録される。
【図５】ユーザ・アカウントに関連するプロバイダ・デバイスによって実行されるプロセスの一例を示しており、このプロセスの一例により、ユーザ・アカウントに関連するクライアント・デバイスにネットワーク・アクセスが提供される。
【図６】ユーザ・アカウントに関連するクライアント・デバイスによって実行されるプロセスの一例を示しており、このプロセスの一例により、ネットワーク・アクセスのためにユーザ・アカウントに関連するプロバイダ・デバイスにクライアント・デバイスが接続される。
【図７】電子システムを概念的に示しており、この電子システムにより、主題技術のいくつかの実現例が実現される。
【発明を実施するための形態】
【００１３】
以下に明記されている詳細な説明は、主題技術の様々な構成の説明として意図されており、主題技術を実践可能な構成のみを表すものではない。添付図面は、本明細書に取り入れられ、詳細な説明の一部を構成する。詳細な説明は、主題技術を徹底的に理解するための具体的な詳細を含む。しかし、主題技術が本明細書に明記されている具体的な詳細に限定されず、このような具体的な詳細なしに実践可能であることは、当業者にとって明白かつ明らかになるであろう。いくつかの事例では、主題技術の概念を曖昧にすることを回避するために、周知の構造及び構成要素がブロック図形式で示されている。
【００１４】
上記のように、テザリングとは、あるデバイスを他のデバイスに接続することを指す。例えば、テザリングは、プロバイダ・デバイスのネットワーク接続をクライアント・デバイスと共有することを可能にする。インターネットなどのネットワークに接続されたプロバイダ・デバイス（又は「ホットスポット」）は、ホットスポットへの接続により他の事前設定済み（事前構成済み）クライアント・デバイスがネットワーク接続を共有することを許可することができる。例えば、インターネット・アクセスを備えたスマートフォンは、タブレット・コンピュータなどのクライアント・デバイスがインターネット・アクセスするためにＷｉ−Ｆｉによりスマートフォンに接続することを許可するＷｉ−Ｆｉ信号をブロードキャストすることができる。しかし、タブレット・コンピュータは、スマートフォンに必要なＷｉ−Ｆｉネットワーク名及びパスワードなど、スマートフォンに接続するための適切な許可情報を必要とする。ユーザがクライアント・デバイスをプロバイダ・デバイスに接続したいと希望するそれぞれの事例では、ユーザは、適切な許可情報でクライアント・デバイスとプロバイダ・デバイスとを設定（構成）しなければならない。プロバイダ・デバイスがスマートフォンなどの限られた入力インターフェースを有する場合、又は、ユーザがプロバイダ・デバイスに接続するために複数のクライアント・デバイスを有する場合、このプロセスは不便である場合が多い。
【００１５】
主題技術により、ユーザは、１回のサブミッションでプロバイダ・デバイス及びクライアント・デバイスのそれぞれがネットワーク・アクセスを共有することを許可することができ、その後、クライアント・デバイスのそれぞれは、アクセス可能なプロバイダ・デバイスの１つに自動的に接続し、そのプロバイダ・デバイスとネットワーク接続を共有することができる。具体的には、ユーザはユーザ・アカウントを有するサーバ・インターフェースにサインインし、そのインターフェースを使用して、ユーザはユーザ・アカウント（及び／又はその他の許可されたユーザ・アカウント）に関連するそれぞれのデバイスがネットワーク接続を共有することを許可する。また、このインターフェースは、ユーザのデバイスを識別するためにユーザのデバイスのそれぞれのための媒体アクセス制御（ＭＡＣ）アドレスなどの固有ＩＤも入手する。クライアント・デバイスの固有ＩＤはプロバイダ・デバイスに送信される。その後、クライアント・デバイスがユーザ・アカウントに関連する近接プロバイダ・デバイスに接続されることをユーザが要求すると、クライアント・デバイスは、すべての近接デバイスに対して、クライアント・デバイスの固有ＩＤを含む要求をブロードキャストする。要求は近接プロバイダ・デバイスによって受信される。プロバイダ・デバイスは、要求内の固有ＩＤがユーザに関連するものであることを検証すると、クライアント・デバイスとプロバイダ・デバイスとの間のピアツーピア（例えば、Ｂｌｕｅｔｏｏｔｈ（登録商標））ネットワーク接続を作成する。次にプロバイダ・デバイスは、ピアツーピア接続によりクライアント・デバイスに適切なネットワーク・アクセス情報を送信し、クライアント・デバイスは、そのネットワーク・アクセス情報を使用して、ネットワーク・アクセスするために同じか又は異なるネットワーク（例えば、Ｗｉ−Ｆｉ）上のプロバイダ・デバイスに接続する。
【００１６】
図１は、ユーザ・アカウントに関連するクライアント・デバイスにネットワーク・アクセスを提供することができるネットワーク環境の一例を示している。ネットワーク環境１００は、電子デバイス１０８（以下「プロバイダ・デバイス１０８」）と、その他の電子デバイス１０２〜１０６（以下「クライアント・デバイス１０２〜１０６」）と、無線ネットワーク１１２（例えば、タワーステーション１１０を含む）と、サーバ１１４とを含む。
【００１７】
サーバ１１４は処理装置１１６とデータストア１１８とを含む。処理装置１１６は、例えば、ホストとしてアプリケーションを処理するために、データストア１１８に保管（格納）されているコンピュータ命令を実行する。ユーザは、例えば、プロバイダ・デバイス１０８を使用してネットワーク１１２を介して、そのアプリケーションと対話することができる。代わって又は加えて、ユーザは、プロバイダ・デバイス１０８によって提供されたネットワーク・アクセスを介してクライアント・デバイス１０２〜１０６のうちのいずれかを使用して上記アプリケーションと対話することができる。
【００１８】
プロバイダ・デバイス１０８及びクライアント・デバイス１０２〜１０６は、ラップトップ又はデスクトップ・コンピュータ、スマートフォン、ＰＤＡ、ポータブル・メディア・プレーヤ、タブレット・コンピュータ、又はその他の適切なコンピューティング・デバイスなどのコンピューティング・デバイスであり得る。図１の例では、プロバイダ・デバイス１０８はスマートフォンとして描写され、クライアント・デバイス１０２〜１０６は、それぞれ、ＰＤＡ、デスクトップ・コンピュータ、及びラップトップ・コンピュータとして描写されている。
【００１９】
諸態様の例では、サーバ１１４は、コンピュータ・サーバなどの単一コンピューティング・デバイスであり得る。その他の態様では、サーバ１１４は、サーバ・コンピュータのアクションを実行するために一緒に機能する２つ以上のコンピューティング・デバイスを表すことができる（例えば、クラウド・コンピューティング）。サーバ１１４を実現するために使用できるコンピューティング・デバイスの例としては、ウェブ・サーバ、アプリケーション・サーバ、プロキシ・サーバ、ネットワーク・サーバ、又はサーバファーム内の複数のコンピューティング・デバイスのグループを含むが、これらに限定されない。
【００２０】
諸態様の例では、ネットワーク１１２は広域ネットワーク（例えば、インターネット）である。クライアント・デバイス１０２〜１０６のいずれかと、プロバイダ・デバイス１０８及び／又はサーバ１１４との間の通信は、ハイパーテキスト転送プロトコル（ＨＴＴＰ）などの通信プロトコルにより容易にすることができる。クライアント・デバイス１０２〜１０６とプロバイダ・デバイス１０８及び／又はサーバ１１４との間の一部又は全部の通信については、例えば、拡張可能メッセージング・アンド・プレゼンス・プロトコル（ＸＭＰＰ）通信を含む、その他の通信プロトコルも容易にすることができる。
【００２１】
図１に見られるように、プロバイダ・デバイス１０８は、無線方式でプロバイダ・デバイス１０８と通信するように構成された、いくつかの他のデバイス（例えば、クライアント・デバイス１０２〜１０６）用のルータとして動作することができる。代わって又は加えて、プロバイダ・デバイス１０８及び１つ又は複数のその他の通信又はデータ処理装置は、アドホック・ネットワーク、例えば、Ｗｉ−Ｆｉダイレクト又は他の適切なプロトコルを自動的にセットアップするように構成され得る。図１の例では、クライアント・デバイス１０２〜１０６のそれぞれは無線リンクによりプロバイダ・デバイス１０８と通信する。
【００２２】
クライアント・デバイス１０２〜１０６のそれぞれは無線リンクによりプロバイダ・デバイス１０８と通信している状態で示されているが、クライアント・デバイス１０２〜１０６のうちの１つ又は複数は、データポートを介するなど、固定接続によりプロバイダ・デバイス１０８に接続することができる。スペースの制約がある場合、プロバイダ・デバイス１０８は限られたデータポートを有するおそれがある。固定接続により他のクライアント・デバイス（例えば、ＰＤＡ１０２、デスクトップ・コンピュータ１０４）を接続できるようにするために、クライアント・デバイス１０２〜１０６（例えば、ラップトップ１０６）にいくつかのデータポートを設けることができる。加えて、クライアント・デバイス１０２〜１０６は、これらのデバイスのうちの他のデバイスとともにアドホック・ネットワークに入るように構成され得る。
【００２３】
プロバイダ・デバイス１０８は、タワーステーション１１０を含む無線ネットワーク１１２と通信状態にある。従って、プロバイダ・デバイス１０８は、データ中心のネットワーク（データセントリックネットワーク：data-centric network）によりデータ・サービスにアクセスすることができ、クライアント・デバイス１０２〜１０６用のルータとしての動作により、例えば、バックホール・リンク（backhaul link）として無線ネットワーク１１２を使用して、インターネット又は他の広域データ・ネットワークへの接続性をこれらの他のデバイスに提供することができる。本明細書で使用するこのモードの動作は、クライアント・デバイス１０２〜１０６用の「ホットスポット」の提供と呼ばれる。プロバイダ・デバイス１０８がホットスポットとして動作している間にクライアント・デバイス１０２〜１０６のうちの１つ又は複数がプロバイダ・デバイス１０８の付近にある場合、この１つ又は複数のクライアント・デバイス１０２〜１０６は、（例えば、プロバイダ・デバイス１０８によって実現される任意の認証又はその他のセキュリティ制限を条件として）プロバイダ・デバイス１０８に接続し、それにより広域ネットワーク（例えば、インターネット）にアクセスすることができる。
【００２４】
プロバイダ・デバイス１０８は、無線ネットワーク１１２からメッセージを受信し、かつ、無線ネットワーク１１２にメッセージを送信する通信コンポーネント（図示せず）を含むことができる。この通信コンポーネントは、単一のコンポーネント又は複数のコンポーネントに対応することができる。例えば、この通信コンポーネントは、世界移動電話規格（Global System for Mobile Communication）（ＧＳＭ（登録商標））、汎用パケット無線サービス（General Packet Radio Services）（ＧＰＲＳ）規格、拡張データＧＳＭ環境（Enhanced Data GSM Environment）（ＥＤＧＥ）、ユニバーサル移動通信サービス（Universal Mobile Telecommunications Service）（ＵＭＴＳ）、又は任意のその他の適切な規格のうちの１つ又は複数により構成される。この通信コンポーネントを無線ネットワーク１１２と接続する無線リンクは、例えば、ＧＳＭ、ＧＰＲＳ、ＥＤＧＥ、ＵＭＴＳ、又は任意選択でその他のネットワーク通信用に指定された定義済みプロトコルに従って動作する１つ又は複数の異なる無線周波数（Radio Frequency）（ＲＦ）チャネルを表している。いくつかのネットワーク・プロトコルにより、これらのチャネルは、回線交換音声通信とパケット交換データ通信との両方をサポートすることができる。
【００２５】
その他の無線ネットワークもプロバイダ・デバイス１０８に関連付けることができる。使用できる種々のタイプの無線ネットワークとしては、例えば、データ中心の無線ネットワーク、音声中心（ボイスセントリック：voice-centric）の無線ネットワーク、及び同じ物理的基地局により音声通信とデータ通信との両方をサポートできるデュアルモード・ネットワークを含む。複合型デュアルモード・ネットワークとしては、符号分割多元接続（ＣＤＭＡ）又はＣＤＭＡ２０００ネットワーク、ＧＳＭ／ＧＰＲＳネットワーク、ＥＤＧＥ、ＨＳＰＡ、ＨＳＰＡ＋、ＥＶＤＯ、及びＵＭＴＳなどの第３世代（３Ｇ）ネットワーク、又はＬＴＥ及びＬＴＥアドバンストなどの第４世代（４Ｇ）ネットワークを含むが、これらに限定されない。データ中心のネットワークの一例はＷｉ−Ｆｉ８０２．１１通信システムを含む。音声中心のデータ・ネットワークの例は、ＧＳＭ及び時分割多元接続（ＴＤＭＡ）システムのようなパーソナル移動通信システム（Personal Communication System）（ＰＣＳ）ネットワークを含む。プロバイダ・デバイス１０８の通信コンポーネントは、ＷＬＡＮ通信を可能にすることができ、ＩＥＥＥによって策定された８０１．１１系列の規格のうちの１つ又は複数などの既知のネットワーク・プロトコルに従って動作することができる。
【００２６】
諸態様の例では、ラップトップ１０６など、クライアント・デバイス１０２〜１０６のそれぞれは、無線ネットワーク１１２により通信し、かつ、ＷＬＡＮ又はＬＡＮ接続を他のデバイス（例えば、１０２、１０４、１０８）に提供するように同様に装備可能であり、「ホットスポット」としてプロバイダ・デバイス１０８の代わりに使用可能である。諸態様の例では、ラップトップ１０６にオンボード無線ネットワーク又はＷＬＡＮ／ＬＡＮ機能が提供されていない場合、例えば、ラップトップ１０６にインストールされた拡張カードによるか或いはドングル又はその他の外部ハードウェア・デバイスを介して、この機能を提供することができる。
【００２７】
図２は、ユーザ・アカウントに関連するプロバイダ・デバイス及びクライアント・デバイスを識別するユーザ・インターフェースの一例を示している。ユーザ・インターフェース２００は、ユーザ名領域２０２と、プロバイダ・デバイス（複数も可）領域２０４と、クライアント・デバイス（複数も可）領域２０６とを含む。
【００２８】
プロバイダ・デバイス（複数も可）領域２０４により、ユーザは、ユーザ・アカウントに関連するデバイスであって、プロバイダ・デバイスとして指定したいと希望するデバイスを表示し編集することができる。上記のように、プロバイダ・デバイスは１つ又は複数のクライアント・デバイスにネットワーク・アクセスを提供するために使用することができ、プロバイダ・デバイスは１つ又は複数のクライアント・デバイス用のホットスポットとして動作する。図２の例では、ユーザ・アカウントは２つのプロバイダ・デバイス、即ち、デバイス２０８及び２１０に関連付けられている。デバイス２０８及び２１０のそれぞれは、例えば、図１のプロバイダ・デバイス１０８に対応することができる。
【００２９】
プロバイダ・デバイス（複数も可）領域２０４は、プロバイダ・デバイスのリストを編集するための編集インターフェース（例えば、ボタン２１８）を更に含むことができる。例えば、ボタン２１８を使用すると、ユーザは、プロバイダ・デバイス（複数も可）領域２０４内のデバイスのリストにデバイスを追加したり、そこからデバイスを削除することができる。諸態様の例では、ユーザがプロバイダ・デバイスを追加することを選択した場合、ユーザ・アカウントに関連するデバイスのリストを表示することができ、ユーザは表示されたリストからデバイスを選択してプロバイダ・デバイスとして追加することができる。デバイスのリストは、ユーザ・アカウントに関連するすべてのデバイスに対応し得るか、或いは、ユーザ・アカウントに関連するデバイスのうち、プロバイダ・デバイスとして動作可能なデバイスのみを表示するように選別され得る。
【００３０】
クライアント・デバイス（複数も可）領域２０６により、ユーザは、ユーザ・アカウントに関連するデバイスであって、クライアント・デバイスとして指定したいと希望するデバイスを表示し編集することができる。上記のように、クライアント・デバイスは、プロバイダ・デバイスを使用してネットワーク・アクセスするために、プロバイダ・デバイスと通信することができる。図２の例では、ユーザ・アカウントは３つのクライアント・デバイス、即ち、デバイス２１２、２１４、及び２１６に関連付けられている。デバイス２１２〜２１６のそれぞれは、例えば、図１のクライアント・デバイス１０２〜１０６のいずれかに対応することができる。
【００３１】
クライアント・デバイス（複数も可）領域２０６は、クライアント・デバイスのリストを編集するための編集インターフェース（例えば、ボタン２２０）を更に含むことができる。例えば、ボタン２２０を使用すると、ユーザは、クライアント・デバイス（複数も可）領域２０６内のデバイスのリストにデバイスを追加したり、そこからデバイスを削除するように指示され得る。諸態様の例では、ユーザがクライアント・デバイスを追加することを選択した場合、ユーザ・アカウントに関連するデバイスのリストを表示することができ、ユーザは表示されたリストからデバイスを選択してクライアント・デバイスとして追加することができる。デバイスのリストは、ユーザ・アカウントに関連するすべてのデバイスに対応し得るか、或いは、ユーザ・アカウントに関連するデバイスのうち、クライアント・デバイスとして動作可能なデバイスのみを表示するように選別され得る。
【００３２】
図２に見られるように、クライアント・デバイス（複数も可）領域２０６内では、デバイス２１２〜２１６のそれぞれはＭＡＣアドレスとともに表示される。ＭＡＣアドレスは、デバイス２１２〜２１６のそれぞれに割り当てられた固有ＩＤであり、従って、クライアント・デバイス２１２〜２１６のそれぞれを識別するために使用することができる。以下に更に詳細に記載されているように、この固有ＩＤは、プロバイダ・デバイスからクライアント・デバイスにネットワーク・アクセスを提供する際に使用され得る。加えて、プロバイダ・デバイス（複数も可）領域２０４に関しては、プロバイダ・デバイス２０８〜２１０のそれぞれは、それぞれのＭＡＣアドレスとともに表示され得る。
【００３３】
ユーザ・インターフェース２００内に表示されたＭＡＣアドレスは、ユーザ・アカウントに関連するデバイスのそれぞれに関するユーザ・アカウント情報から入手され得る（例えば、その情報内に保管され得る）。ＭＡＣアドレスがまだ使用可能ではない場合、そのＭＡＣアドレスは、ユーザからの手動入力によるか、又は、そのＭＡＣアドレスについて個々のデバイスに照会し、そのＭＡＣアドレスをそのデバイスからユーザ・インターフェース２００を提供するサーバ（例えば、サーバ１１４）に転送することにより、入手され得る。
【００３４】
図３は、プロセスの一例を示しており、このプロセスの一例により、ユーザ・アカウントに関連するクライアント・デバイスにネットワーク・アクセスが提供される。図３は、サーバ３０２、電子デバイス３０４（以下「プロバイダ・デバイス３０４」）、及び電子デバイス３０６（以下「クライアント・デバイス３０６」）を示している。例えば、サーバ３０２は図１のサーバ１１４に対応することができ、プロバイダ・デバイス３０４はプロバイダ・デバイス１０８に対応することができ、クライアント・デバイスはクライアント・デバイス１０２〜１０６のいずれかに対応することができる。
【００３５】
ステップ３０８では、サーバ３０２は、プロバイダ・デバイス（例えば、プロバイダ・デバイス３０４）からクライアント・デバイス（例えば、クライアント・デバイス３０６）にネットワーク・アクセスを提供するための許可要求を受信する。このように実行する際に、サーバは、ユーザ・アカウントに関する認証情報を受信することができ、ユーザ・インターフェースの表示を可能にすることができる。ユーザはユーザ・アカウントを有するユーザ・インターフェースにサインインし、そのインターフェースを使用して、ユーザはユーザ・アカウント（及び／又はその他の許可されたユーザ・アカウント）に関連するそれぞれのデバイスがネットワーク接続を共有することを許可する。ユーザ・インターフェースは、プロバイダ・デバイス（例えば、プロバイダ・デバイス３０４）及びクライアント・デバイス（例えば、クライアント・デバイス３０６）のユーザ選択を可能にすることができる。
【００３６】
ステップ３１０では、サーバ３０２は、それぞれのクライアント・デバイス（例えば、クライアント・デバイス３０６）を識別するために、（例えば、サーバ３０２によって提供されたユーザ・インターフェースを介して）それぞれのクライアント・デバイスのための固有ＩＤを受信する。諸態様の例では、ユーザ・アカウントに関連するそれぞれのプロバイダ・デバイス（例えば、プロバイダ・デバイス３０４）について固有ＩＤが入手され得る。固有ＩＤはＭＡＣアドレスに対応することができるが、これに限定されない。
【００３７】
図２に関連して上述したように、固有ＩＤは、ユーザ・アカウントに関連するデバイスのそれぞれに関するユーザ・アカウント情報内に保管（格納）され得る。諸態様の例では、固有ＩＤ（例えば、ＭＡＣアドレス）がまだユーザ・アカウント情報内で使用可能ではない場合、固有ＩＤは、ユーザからの手動入力によるか又はその他の方法でその固有ＩＤについて個々のデバイスに照会することにより、入手され得る。
【００３８】
ステップ３１２では、サーバ３０２は、ネットワーク・アクセス要求についてモニター（監視）するための標識（指示）とともに、クライアント・デバイスの固有ＩＤをプロバイダ・デバイス３０４に提供する。ステップ３１４で、プロバイダ・デバイス３０４はこの情報を受信する。諸態様の例では、ネットワーク・アクセスについてモニターするための標識は、ネットワーク・アクセス要求のモニターをトリガ（開始）するためにサーバ３０２からプロバイダ・デバイス３０４に送信されたフラグ値（例えば、又はその他のパラメータ）に対応し得る。ステップ３１６では、プロバイダ・デバイス３０４は、プロバイダ・デバイス３０４を介するネットワーク・アクセスのためのピアツーピア要求についてモニターする。
【００３９】
諸態様の例では、プロバイダ・デバイス３０４は、クライアント・デバイス（例えば、クライアント・デバイス３０６）がネットワーク（例えば、インターネット）アクセスするためにＷｉ−Ｆｉによりプロバイダ・デバイス３０４に接続することを許可する信号（例えば、Ｗｉ−Ｆｉ信号）を連続的に又は定期的（周期的）にブロードキャストすることができる。プロバイダ・デバイス３０４がこの信号をブロードキャストしていない場合、ステップ３１４でネットワーク・アクセスについてモニターするための標識を受信することにより、この信号のブロードキャストを開始し、ステップ３１６でネットワーク・アクセスに関する要求のモニターを開始するように、プロバイダ・デバイス３０４をトリガする（動作させる）ことができる。
【００４０】
ステップ３１８では、クライアント・デバイス３０６はプロバイダ・デバイス３０４を介してネットワーク・アクセスに関する要求を受信する。例えば、ネットワーク・アクセスに関する要求は、クライアント・デバイス３０６上のユーザ・インターフェースを介してユーザから受信される。他の例では、ネットワーク・アクセスに関する要求は、ユーザによって開始されず、クライアント・デバイス３０６によって実行される（例えば、所定の間隔で送信される）自動要求である。
【００４１】
ステップ３２０では、クライアント・デバイス３０６は、クライアント・デバイス３０６の固有ＩＤとともに、ネットワーク・アクセスに関する要求を（例えば、ブロードキャストの形で）送信する。ステップ３２２では、この要求は、このような要求をモニターしていたプロバイダ・デバイス３０４によって受信される。ネットワーク・アクセスに関する要求がユーザ要求である場合、ユーザからの受信入力に応答して、クライアント・デバイス３０６による要求の送信が実行される。ネットワーク・アクセスに関する要求が（例えば、所定の間隔の）自動要求である場合、自動要求に応答して、要求の送信が実行される。
【００４２】
諸態様の例では、クライアント・デバイス３０６からプロバイダ・デバイス３０４への要求の送信は、所定のネットワーク周波数及び／又は設定（構成）に基づいて行われる。プロバイダ・デバイス３０４及びクライアント・デバイス３０６は、クライアント・デバイス３０６からプロバイダ・デバイス３０４への要求の送信を可能にするためにそれぞれの事前構成済み設定を有することができる。
【００４３】
ステップ３２４では、プロバイダ・デバイス３０４は、クライアント・デバイス３０６の固有ＩＤがユーザ・アカウントに関連するものであることを検証（確認）する。上記のように、（ステップ３１４で）プロバイダ・デバイス３０４には、ユーザ・アカウントに関連するそれぞれのクライアント・デバイスのための固有ＩＤが提供されている。従って、プロバイダ・デバイス３０４は、ステップ３２０で、クライアント・デバイス３０６から受信した固有ＩＤを、許可されたクライアント・デバイスのための固有ＩＤの受信リストと照らし合わせてチェックすることができる。クライアント・デバイス３０６の固有ＩＤがリスト内の固有ＩＤの１つと一致する場合、プロバイダ・デバイス３０４は、クライアント・デバイス３０６の固有ＩＤがユーザ・アカウントに関連するものである（例えば、許可されたクライアントである）ことを検証（確認）する。
【００４４】
諸態様の例では、ユーザ・アカウントに関連するデバイスが、許可されたクライアント・デバイスとしてユーザによってリストされていない可能性がある。このような場合、プロバイダ・デバイス３０４は、無許可のデバイスを検証（確認）しないと決定することができ、それにより、そのデバイスが本来はユーザ・アカウントに関連するものであっても、無許可のデバイスへのネットワーク・アクセスを拒否することができる。ネットワーク・アクセスを拒否する際に、プロバイダ・デバイス３０４は、ネットワーク・アクセスが許可されないことを示す通知を無許可のデバイスに提供することができる。
【００４５】
ステップ３２６では、固有ＩＤが検証（確認）された場合、プロバイダ・デバイス３０４は、ネットワーク・アクセスするためのアクセス情報をクライアント・デバイス３０６に提供する。ステップ３２８で、クライアント・デバイス３０６はこのアクセス情報を受信する。
【００４６】
プロバイダ・デバイス３０４からクライアント・デバイス３０６へのアクセス情報の転送は、プロバイダ・デバイス３０４とクライアント・デバイス３０６との間のピアツーピア接続を開始し確立することを含むことができる。このピアツーピア接続は、Ｂｌｕｅｔｏｏｔｈ、Ｗｉ−Ｆｉ、ダイレクトＵＳＢ、赤外線、非可聴オーディオ波(non-audible audio wave)、又は任意のその他のタイプの直接通信プロトコルのうちの１つ又は複数に対応することができる。アクセス情報は、プロバイダ・デバイス３０４からのネットワーク・アクセスをクライアント・デバイス３０６に提供するために必要な任意の情報を含むことができる。ステップ３３０及び３３２では、プロバイダ・デバイス３０４からクライアント・デバイス３０６に送信されたアクセス情報に基づいて、クライアント・デバイス３０６はプロバイダ・デバイス３０４に接続してネットワーク・アクセスする。
【００４７】
図３は、単一のプロバイダ・デバイス（例えば、プロバイダ・デバイス３０４）から単一のクライアント・デバイス（例えば、クライアント・デバイス３０６）にネットワーク・アクセスを提供する場合の一例を示していることに留意されたい。しかし、主題技術は、単一又は複数のプロバイダ・デバイスから単一又は複数のクライアント・デバイスにネットワーク・アクセスを提供するために使用することもできることに留意されたい。この点に関しては、複数のプロバイダ・デバイスは、（例えば、複数のクライアント・デバイスのための受信した固有ＩＤに基づいて）複数のクライアント・デバイスからのネットワーク・アクセスに関する要求についてモニターすることができる。
【００４８】
ネットワーク・アクセスに関する要求が複数のクライアント・デバイスによって送信（例えば、ブロードキャスト）されると、それに応じてプロバイダ・デバイスを割り当てることができる。諸態様の例では、プロバイダ・デバイスは、要求側のクライアント・デバイスへの近接性に基づいて割り当てられる。例えば、要求を出した（サブミットした）特定のクライアント・デバイスに最も近いプロバイダ・デバイスが、そのクライアント・デバイスにネットワーク・アクセスを提供するように割り当てられ得る。どのプロバイダ・デバイスが要求側のクライアント・デバイスに近接している（例えば、最も近い）かという判断は、プロバイダ・デバイスとクライアント・デバイスとの間の全地球測位システム（ＧＰＳ）、セルタワー（携帯電話の基地局）三角測量、及びＷｉ−Ｆｉ三角測量のうちの１つ又は複数に基づいて行うことができるが、これらに限定されない。代わって又は加えて、要求側のクライアント・デバイスにプロバイダ・デバイスを割り当てる場合、近接性以外に、信号強度、処理能力、パワーの考慮事項（power considerations）などを含むがこれらに限定されないその他の要因を考慮することができる。
【００４９】
従って、主題技術により、ユーザは、１回のサブミッションでプロバイダ・デバイス及びクライアント・デバイスのそれぞれがネットワーク・アクセスを共有することを許可することができ、その後、クライアント・デバイスのそれぞれは、アクセス可能なプロバイダ・デバイスの１つに自動的に接続し、そのプロバイダ・デバイスとネットワーク接続を共有することができる。従って、主題技術は、「ゼロタッチ」テザリング機能を可能にするものと見なされる。特に、（例えば、ユーザが適切な許可情報でクライアント・デバイスとプロバイダ・デバイスとを設定（構成）しなければならない場合に）ユーザがプロバイダ・デバイスとクライアント・デバイスとの間で適切な許可情報を繰り返し実行することを要求するのではなく、事前指定の許可情報（例えば、固有ＩＤによるプロバイダ・デバイスとクライアント・デバイスとの事前設定許可）を使用して、プロバイダ・デバイス（複数も可）からのネットワーク・アクセスをクライアント・デバイス（複数も可）に提供することができる。
【００５０】
図４は、サーバによって実行されるプロセスの一例を示しており、このプロセスの一例により、プロバイダ・デバイスからネットワーク・アクセスするためにクライアント・デバイスが登録される。例えば、サーバはサーバ１１４又はサーバ３０２に対応することができる。
【００５１】
開始ブロック４０２に続いて、ステップ４０４で、サーバは、ユーザ・アカウントに関連する１つ又は複数のプロバイダ・デバイスからユーザ・アカウントに関連する１つ又は複数のクライアント・デバイスにネットワーク・アクセスを提供するためにユーザ・アカウントに関する許可要求を受信する。このように実行する際に、サーバは、ユーザ・アカウントに関する認証情報を受信することができる。
【００５２】
加えて、サーバは、ユーザ・アカウントに関連するユーザ・インターフェースを表示することができる。ユーザ・インターフェースは、ユーザ・アカウントに関連するすべてのプロバイダ・デバイスの中から１つ又は複数のプロバイダ・デバイスをユーザ選択することと、ユーザ・アカウントに関連するすべてのクライアント・デバイスの中から１つ又は複数のクライアント・デバイスを選択することとを可能にすることができる。
【００５３】
ステップ４０６では、サーバは、１つ又は複数のクライアント・デバイスのそれぞれのための固有ＩＤを受信する。１つ又は複数のクライアント・デバイスのそれぞれのための固有ＩＤはＭＡＣアドレスであり得る。上述のユーザ・インターフェースは、（例えば、手動入力によるか又はクライアント・デバイスに照会することにより）１つ又は複数のクライアント・デバイスのそれぞれのための固有ＩＤの受信を更に可能にすることができる。ステップ４０８では、サーバは、１つ又は複数のクライアント・デバイスのそれぞれのための固有ＩＤを１つ又は複数のプロバイダ・デバイスのそれぞれに提供する。
【００５４】
ステップ４１０では、サーバは、１つ又は複数のクライアント・デバイスのうちの少なくとも１つからのネットワーク・アクセスに関する要求についてモニターするための指示を１つ又は複数のプロバイダ・デバイスのうちの少なくとも１つに提供し、少なくとも１つのクライアント・デバイスからの要求は少なくとも１つのクライアント・デバイスの固有ＩＤを含む。少なくとも１つのプロバイダ・デバイスは、要求に応答して少なくとも１つのクライアント・デバイスにネットワーク・アクセス情報を提供するように構成される。次にプロセスは終了ブロック４１２で終了する。
【００５５】
図５は、ユーザ・アカウントに関連するプロバイダ・デバイスによって実行されるプロセスの一例を示しており、このプロセスの一例により、ユーザ・アカウントに関連するクライアント・デバイスにネットワーク・アクセスが提供される。例えば、プロバイダ・デバイスはプロバイダ・デバイス１０８又はプロバイダ・デバイス３０４に対応することができる。
【００５６】
開始ブロック５０２に続いて、ステップ５０４で、プロバイダ・デバイスは、サーバから、ユーザ・アカウントに関連するクライアント・デバイスのための固有ＩＤを受信する。固有ＩＤはＭＡＣアドレスに対応することができる。ステップ５０６では、プロバイダ・デバイスは、クライアント・デバイスからの要求についてモニターするための標識（指示）をサーバから受信する。この要求はクライアント・デバイスのためのネットワーク・アクセスに関するものである。
【００５７】
ステップ５０８では、標識を受信したことに応答して、プロバイダ・デバイスは、クライアント・デバイスからの要求についてモニターする。ステップ５１０では、プロバイダ・デバイスは、クライアント・デバイスから要求を受信する。この要求はクライアント・デバイスの固有ＩＤを含む。要求のモニター及び要求の受信は所定のネットワーク周波数又は設定（構成）に基づいて行われ得る。
【００５８】
ステップ５１２では、プロバイダ・デバイスは、クライアント・デバイスの固有ＩＤがユーザ・アカウントに関連するものであるかどうかを検証（確認）する。ステップ５１４では、クライアント・デバイスの固有ＩＤがユーザ・アカウントに関連するものであると検証（確認）された場合、プロバイダ・デバイスは、プロバイダ・デバイスに接続してネットワーク・アクセスするためのアクセス情報をクライアント・デバイスに提供する。この提供に先立って、プロバイダ・デバイスはクライアント・デバイスとのピアツーピア接続を確立することができ、プロバイダ・デバイスは、確立されたピアツーピア接続を使用してクライアント・デバイスにアクセス情報を提供する。
【００５９】
ステップ５０４における固有ＩＤの受信、ステップ５０６における標識の受信、ステップ５０８におけるモニター、ステップ５１０における要求の受信、ステップ５１２における検証、及びステップ５１４における提供は、複数のクライアント・デバイスについて実行することができ、そのクライアント・デバイスのそれぞれが固有ＩＤを有する。次にプロセスは終了ブロック５１６で終了する。
【００６０】
図６は、ユーザ・アカウントに関連するクライアント・デバイスによって実行されるプロセスの一例を示しており、このプロセスの一例により、ネットワーク・アクセスのためにユーザ・アカウントに関連するプロバイダ・デバイスにクライアント・デバイスが接続される。例えば、クライアント・デバイスはクライアント・デバイス１０２〜１０６のいずれか又はクライアント・デバイス３０６に対応することができる。
【００６１】
開始ブロック６０２に続いて、ステップ６０４で、クライアント・デバイスは、ユーザ・アカウントに関連するプロバイダ・デバイスからネットワーク・アクセスに関する要求を受信する。プロバイダ・デバイスは、ユーザ・アカウントに関連する複数のプロバイダ・デバイスのうちの１つであり得る。プロバイダ・デバイスは、クライアント・デバイスに対するプロバイダ・デバイスの近接性に基づいて、複数のプロバイダ・デバイスの中から選択され得る。
【００６２】
ステップ６０６では、クライアント・デバイスは、ネットワーク・アクセスに関する要求を（例えば、ブロードキャストの形で）プロバイダ・デバイスに送信し、この要求はクライアント・デバイスの固有ＩＤを含む。要求の送信は所定のネットワーク周波数又は設定（構成）に基づいて行われ得る。固有ＩＤはＭＡＣアドレスに対応することができる。ネットワーク・アクセスに関する要求はユーザから受信することができ、ユーザからの受信入力に応答して要求の送信を実行することができる。代わって又は加えて、ネットワーク・アクセスに関する要求は自動要求にすることができ、自動要求に応答して要求の送信を実行することができる。
【００６３】
ステップ６０８では、クライアント・デバイスは、ユーザ・アカウントに関連するプロバイダ・デバイスから、プロバイダ・デバイスに接続してネットワーク・アクセスするためのアクセス情報を受信する。ステップ６１０では、クライアント・デバイスは、受信したアクセス情報を使用して、プロバイダ・デバイスに接続してネットワーク・アクセスする。アクセス情報を受信してプロバイダ・デバイスに接続するに先立って、クライアント・デバイスはプロバイダ・デバイスとのピアツーピア接続を確立することができる。アクセス情報の受信及びプロバイダ・デバイスへの接続は、確立されたピアツーピア接続を使用して実行され得る。次にプロセスは終了ブロック６１２で終了する。
【００６４】
上記の特徴及び適用例の多くは、コンピュータ可読記憶媒体（コンピュータ可読媒体ともいう）上に記録された１組の命令として指定されるソフトウェア・プロセスとして実現される。これらの命令が１つ又は複数の処理装置（例えば、１つ又は複数のプロセッサ、複数プロセッサからなるコア、或いはその他の処理装置）によって実行される場合、これらの命令は、その命令に指示されているアクションを処理装置（複数も可）に実行させる。コンピュータ可読媒体の例としては、ＣＤ−ＲＯＭ、フラッシュ・ドライブ、ＲＡＭチップ、ハード・ドライブ、ＥＰＲＯＭなどを含むが、これらに限定されない。コンピュータ可読媒体は、無線方式又は有線接続により通過する搬送波及び電子信号を含まない。
【００６５】
本明細書では、「ソフトウェア」という用語は、読み取り専用メモリに常駐するファームウェア又は磁気記憶装置に保管されたアプリケーションを含むものであり、どちらもプロセッサによる処理のためにメモリに読み込むことができる。また、実現例によっては、主題開示の複数のソフトウェア態様は、主題開示の別個のソフトウェア態様でありながら、より大きいプログラムのサブパート（一部分）として実現され得る。実現例によっては、複数のソフトウェア態様を別々のプログラムとして実現することもできる。最後に、本明細書に記載されている１つのソフトウェア態様を一緒に実現する複数の別々のプログラムの任意の組み合わせは主題開示の範囲内である。実現例によっては、ソフトウェア・プログラムは、１つ又は複数の電子システム上で動作するようにインストールされると、そのソフトウェア・プログラムの動作を実行する１つ又は複数の特定の機械実現例を定義する。
【００６６】
コンピュータ・プログラム（プログラム、ソフトウェア、ソフトウェア・アプリケーション、スクリプト、又はコードとしても知られている）は、コンパイラ型又はインタープリタ型言語、宣言型又は手続き型言語を含む、任意の形のプログラミング言語で作成可能であり、スタンドアロン・プログラムとして、或いはモジュール、コンポーネント、サブルーチン、オブジェクト、又はコンピューティング環境での使用に適したその他のユニットとしてを含む、任意の形で配備可能である。コンピュータ・プログラムは、ファイル・システム内のファイルに対応することができるが、対応する必要があるわけではない。プログラムは、その他のプログラム又はデータを保持する１つのファイルの一部分（例えば、マークアップ言語ドキュメントに保管された１つ又は複数のスクリプト）内に保管されるか、当該プログラム専用の単一ファイル内に保管されるか、或いは複数の協調ファイル（例えば、１つ又は複数のモジュール、サブプログラム、又はコードの一部分を保管するファイル）内に保管され得る。コンピュータ・プログラムは、１つのコンピュータ上で実行されるか、或いは１つのサイトに位置するか又は複数のサイトに分散されて通信ネットワークによって相互接続された複数のコンピュータ上で実行されるように配備され得る。
【００６７】
図７は、電子システムを概念的に示しており、この電子システムにより、主題技術のいくつかの実現例が実現される。電子システム７００は、コンピュータ、電話、ＰＤＡ、又は任意のその他の種類の電子デバイスであり得る。このような電子システムは、様々なタイプのコンピュータ可読媒体と、様々なその他のタイプのコンピュータ可読媒体のためのインターフェースとを含む。電子システム７００は、バス７０８と、処理装置（複数も可）７１２と、システム・メモリ７０４と、読み取り専用メモリ（ＲＯＭ）７１０と、永久記憶装置７０２と、入力装置インターフェース７１４と、出力装置インターフェース７０６と、ネットワーク・インターフェース７１６とを含む。
【００６８】
バス７０８は、電子システム７００の多数の内部デバイスを通信可能に接続するシステム・バス、周辺装置バス、及びチップセット・バスのすべてをまとめて表している。例えば、バス７０８は、処理装置（複数も可）７１２と、ＲＯＭ７１０、システム・メモリ７０４、及び永久記憶装置７０２とを通信可能に接続する。
【００６９】
これらの様々なメモリ・ユニットから、処理装置（複数も可）７１２は、主題開示のプロセスを実行するために、実行すべき命令と処理すべきデータとを取り出す。処理装置（複数も可）は、異なる実現例では単一プロセッサ又はマルチコア・プロセッサであり得る。
【００７０】
ＲＯＭ７１０は、電子システムの処理装置（複数も可）７１２及びその他のモジュールが必要とする静的データ及び命令を保管（格納）する。これに対して、永久記憶装置７０２は、読み取り書き込みメモリ・デバイスである。このデバイスは、電子システム７００がオフの時でも命令及びデータを保管（格納）する、不揮発性メモリ・ユニットである。主題開示のいくつかの実現例では、永久記憶装置７０２として大容量記憶装置（磁気又は光ディスク及びそれに対応するディスク・ドライブなど）を使用する。
【００７１】
その他の実現例では、永久記憶装置７０２として取り外し可能記憶装置（フロッピー（登録商標）・ディスク、フラッシュ・ドライブ、及びそれに対応するディスク・ドライブなど）を使用する。永久記憶装置７０２のように、システム・メモリ７０４は読み取り書き込みメモリ・デバイスである。しかし、記憶装置７０２とは異なり、システム・メモリ７０４は、ランダム・アクセス・メモリなどの揮発性読み取り書き込みメモリである。システム・メモリ７０４は、ランタイム時にプロセッサが必要とする命令及びデータの一部を保管する。いくつかの実現例では、主題開示のプロセスは、システム・メモリ７０４、永久記憶装置７０２、及び／又はＲＯＭ７１０に保管（格納）される。例えば、様々なメモリ・ユニットは、いくつかの実現例によりユーザ・アカウントに関連するクライアント・デバイスにネットワーク・アクセスを提供するための命令を含む。これらの様々なメモリ・ユニットから、処理装置（複数も可）７１２は、いくつかの実現例のプロセスを実行するために、実行すべき命令と処理すべきデータとを取り出す。
【００７２】
バス７０８は、入力及び出力装置インターフェース７１４及び７０６にも接続する。入力装置インターフェース７１４は、ユーザが電子システムに対して情報を伝達し、コマンドを選択できるようにするものである。入力装置インターフェース７１４とともに使用される入力装置としては、例えば、英数字キーボード及びポインティング・デバイス（「カーソル制御デバイス」とも呼ばれる）を含む。出力装置インターフェース７０６は、例えば、電子システム７００によって生成された画像の表示を可能にする。出力装置インターフェース７０６とともに使用される出力装置としては、例えば、プリンタ並びに陰極線管（ＣＲＴ）又は液晶ディスプレイ（ＬＣＤ）などの表示装置を含む。いくつかの実現例は、入力装置と出力装置との両方として機能するタッチスクリーンなどのデバイスを含む。
【００７３】
最後に、図７に示されているように、バス７０８は、ネットワーク・インターフェース７１６により電子システム７００をネットワーク（図示せず）にも結合する。このように、コンピュータは、ローカル・エリア・ネットワーク（「ＬＡＮ」）、広域ネットワーク（「ＷＡＮ」）、又はイントラネットなどの複数コンピュータのネットワーク、或いはインターネットなどの複数ネットワークのネットワークの一部であり得る。電子システム７００の任意又は全部のコンポーネントは主題開示とともに使用され得る。
【００７４】
上記のこれらの機能は、デジタル電子回路、コンピュータ・ソフトウェア、ファームウェア、又はハードウェアで実現することができる。これらの技法は１つ又は複数のコンピュータ・プログラム・プロダクトを使用して実現することができる。プログラム可能プロセッサ及びコンピュータはモバイル・デバイスに含まれるか又はモバイル・デバイスとしてパッケージ化され得る。プロセス及びロジック・フローは、１つ又は複数のプログラム可能プロセッサ並びに１つ又は複数のプログラム可能論理回路によって実行され得る。汎用及び特殊目的のコンピューティング・デバイス並びに記憶装置は、通信ネットワークにより相互接続され得る。
【００７５】
いくつかの実現例は、機械可読媒体又はコンピュータ可読媒体（あるいは、コンピュータ可読記憶媒体、機械可読メディア、又は機械可読記憶媒体ともいう）にコンピュータ・プログラム命令を保管する、マイクロプロセッサ、ストレージ、及びメモリなどの電子部品を含む。このようなコンピュータ可読媒体のいくつかの例としては、ＲＡＭ、ＲＯＭ、読み取り専用コンパクト・ディスク（ＣＤ−ＲＯＭ）、記録可能コンパクト・ディスク（ＣＤ−Ｒ）、書き換え可能コンパクト・ディスク（ＣＤ−ＲＷ）、読み取り専用デジタル多用途ディスク（例えば、ＤＶＤ−ＲＯＭ、二重層ＤＶＤ−ＲＯＭ）、様々な記録可能／書き換え可能ＤＶＤ（例えば、ＤＶＤ−ＲＡＭ、ＤＶＤ−ＲＷ、ＤＶＤ＋ＲＷなど）、フラッシュ・メモリ（例えば、ＳＤカード、ミニＳＤカード、マイクロＳＤカードなど）、磁気及び／又はソリッドステート・ハード・ドライブ、読み取り専用及び記録可能Ｂｌｕ−Ｒａｙ（登録商標）ディスク、超高密度光ディスク、任意のその他の光又は磁気メディア、並びにフロッピー・ディスクを含む。コンピュータ可読媒体は、少なくとも１つの処理装置によって実行可能であって、様々な動作を実行するための複数の命令セットを含む、コンピュータ・プログラムを保管することができる。コンピュータ・プログラム又はコンピュータ・コードの例としては、コンパイラによって生成されるような機械コード、並びに、インタープリタを使用してコンピュータ、電子部品、又はマイクロプロセッサによって実行される高レベル・コードを含むファイルを含む。
【００７６】
上記の考察では主にソフトウェアを実行するマイクロプロセッサ又はマルチコア・プロセッサに言及しているが、いくつかの実現例は、特定用途向け集積回路（ＡＳＩＣ）又はフィールド・プログラマブル・ゲート・アレイ（ＦＰＧＡ）などの１つ又は複数の集積回路によって実行される。実現例によっては、このような集積回路は回路自体に保管された命令を実行する。
【００７７】
本明細書並びに本出願の任意の請求項で使用されるように、「コンピュータ」、「サーバ」、「プロセッサ」、及び「メモリ」という用語はいずれも、電子デバイス又はその他の技術的デバイスを指している。これらの用語は人又は人のグループを除外するものである。本明細書のために、ディスプレイ又は表示という用語は、電子デバイス上で表示することを意味する。本明細書並びに本出願の任意の請求項で使用されるように、「コンピュータ可読媒体」及び「コンピュータ可読メディア」という用語は、コンピュータによって読み取り可能な形で情報を保管する、有形かつ物理的な対象物に完全に限定される。これらの用語は、無線信号、有線ダウンロード信号、及び任意のその他の一過性の信号を除外するものである。
【００７８】
ユーザとの対話を可能にするために、本明細書に記載されている主題の実現例は、ユーザに対して情報を表示するための表示装置、例えば、ＣＲＴ（陰極線管）又はＬＣＤ（液晶ディスプレイ）モニターと、それによりユーザがコンピュータに対して入力を行うことができるキーボード及びポインティング・デバイス、例えば、マウス又はトラックボールとを有するコンピュータ上で実現することができる。ユーザとの対話を可能にするために、その他の種類のデバイスを使用することもでき、例えば、ユーザに提供されるフィードバックは任意の形の感覚フィードバック、例えば、視覚フィードバック、聴覚フィードバック、又は触覚フィードバックにすることができ、ユーザからの入力は、音響入力、音声入力、又は触覚入力を含む任意の形で受け取ることができる。加えて、コンピュータは、ユーザによって使用されるデバイスにドキュメントを送信し、そのデバイスからドキュメントを受信することによって、ユーザと対話することができ、例えば、クライアント・デバイス上のウェブ・ブラウザから受信した要求に応答してそのウェブ・ブラウザにウェブ・ページを送信することによって対話することができる。
【００７９】
本明細書に記載されている主題の諸実施形態は、バックエンド・コンポーネント、例えば、データ・サーバを含むか、ミドルウェア・コンポーネント、例えば、アプリケーション・サーバを含むか、或いはフロントエンド・コンポーネント、例えば、それによりユーザが本明細書に記載されている主題の一実現例と対話することができるグラフィカル・ユーザ・インターフェース又はウェブ・ブラウザを有するクライアント・コンピュータを含むか、１つ又は複数のこのようなバックエンド・コンポーネント、ミドルウェア・コンポーネント、又はフロントエンド・コンポーネントの任意の組み合わせを含む、コンピューティング・システムで実現することができる。システムのコンポーネントは、任意の形又は手段のデジタル・データ通信、例えば、通信ネットワークによって相互接続することができる。通信ネットワークの例としては、ローカル・エリア・ネットワーク（「ＬＡＮ」）及び広域ネットワーク（「ＷＡＮ」）、インターネットワーク（例えば、インターネット）、並びにピアツーピア・ネットワーク（例えば、アドホック・ピアツーピア・ネットワーク）を含む。
【００８０】
コンピューティング・システムはクライアントとサーバとを含むことができる。クライアントとサーバとは一般に相互に遠く離れており、典型的に通信ネットワークにより対話する。クライアントとサーバとの関係は、それぞれのコンピュータ上で実行され、相互にクライアント・サーバの関係を有するコンピュータ・プログラムによって発生する。いくつかの実施形態では、サーバはクライアント・デバイスにデータ（例えば、ＨＴＭＬページ）を伝送する（例えば、クライアント・デバイスと対話するユーザにデータを表示し、そのユーザからユーザ入力を受信するため）。クライアント・デバイスで生成されたデータ（例えば、ユーザ対話の結果）はサーバ側でクライアント・デバイスから受信することができる。
【００８１】
開示されているプロセスにおける諸ステップの任意の特定の順序又は階層は模範的な手法の例示であることは言うまでもない。設計上の好みに基づいて、プロセスにおける諸ステップの特定の順序又は階層を再編成できること或いは例示されているすべてのステップを実行できることは言うまでもない。諸ステップのうちのいくつかは同時に実行することができる。例えば、特定の状況では、多重タスク処理及び並列処理が有利である可能性がある。その上、上記の諸実施形態における様々なシステム・コンポーネントの分離はすべての実施形態においてこのような分離を要求するものと理解すべきではなく、上記のプログラム・コンポーネント及びシステムは一般に単一ソフトウェア・プロダクトに一緒に統合できるか又は複数のソフトウェア・プロダクトにパッケージ化できることを理解されたい。
【００８２】
上記の説明は、当業者が本明細書に記載されている様々な態様を実践できるように提供されたものである。これらの態様に対する様々な変更は当業者にとって容易に明らかになり、本明細書に定義された包括的原理はその他の態様に適用することができる。従って、特許請求の範囲は本明細書に示されている諸態様に限定するためのものではなく、請求項の表現と一致した全範囲が授与されるべきであり、その請求項においては単数形の要素に対する言及は、特にそのように指定されない限り、「唯一のもの（one and only one）」を意味するものではなく、むしろ「１つ又は複数（one or more）」を意味するものである。特に他の指定がない限り、「いくつかの（some）」という用語は１つ又は複数を指している。男性形の代名詞（例えば、彼の（his））は女性形及び中性形（例えば、彼女の（her）及びそれの（its））を含み、逆もまた同様である。見出し及び小見出しがある場合、便宜上使用されているだけであり、主題開示を限定するものではない。
【００８３】
「態様（aspect）」などの語句は、このような態様が主題技術にとって不可欠であること又はこのような態様が主題技術のすべての構成に適用されることを意味するものではない。一態様に関連する開示内容はすべての構成に適用される場合もあれば、１つ又は複数の構成に適用される場合もある。一態様などの語句は１つ又は複数の態様を指す可能性があり、逆もまた同様である。「構成（configuration）」などの語句は、このような構成が主題技術にとって不可欠であること又はこのような構成が主題技術のすべての構成に適用されることを意味するものではない。一構成に関連する開示内容はすべての構成に適用される場合もあれば、１つ又は複数の構成に適用される場合もある。一構成などの語句は１つ又は複数の構成を指す可能性があり、逆もまた同様である。
【００８４】
「模範的（exemplary）」という単語は、「一例又は例示として機能すること」を意味するために本明細書で使用されている。「模範的」として本明細書に記載されている任意の態様又は設計は必ずしも他の態様又は設計より好ましいか又は有利であると解釈すべきではない。
【００８５】
本発明全体を通して記載されている様々な態様の諸要素と構造上及び機能上同等であって、当業者にとって既知であるか又は後で既知のものになるものはいずれも、参照により明白に本明細書に取り入れられ、特許請求の範囲によって包含されるものである。その上、本明細書に開示されているものはいずれも、このような開示が特許請求の範囲に明示的に列挙されているかどうかにかかわらず、世間一般に専用のものではない。
【図１】
2016502784.tif 000003
【図２】
2016502784.tif 000004
【図３】
2016502784.tif 000005
【図４】
2016502784.tif 000006
【図５】
2016502784.tif 000007
【図６】
2016502784.tif 000008
【図７】
2016502784.tif 000009
【国際調査報告】
2016502784.tif 000010
2016502784.tif 000011